(57)【要約】【課題】  入力ソース変更を許可された手段のみが入力ソースの変更を行うことができるようにすることを目的とする。【解決手段】  表示部２とコントローラ３とを備え、コントローラ３は複数の入力端子を備えている表示装置において、複数の入力端子から送信された情報のうちいずれかを選択し、表示部２に送信する入力ソースマスク７を備える。また、入力ソースマスク７は、複数のマスクレジスタ１１及び１３を備えており、マスクレジスタ１１及び１３はリモコン５から送信された信号に基づいて切り替えられる。【選択図】  図１
2006246347.tif 000002
【特許請求の範囲】
【請求項１】
表示部とコントローラとを備え、該コントローラは複数の入力端子を備えている表示装置において、
前記複数の入力端子から送信された情報のうちいずれかを選択し、前記表示部に送信する入力ソースマスクを備えることを特徴とする表示装置。
【請求項２】
前記入力ソースマスクは、複数のマスクレジスタを備えており、前記マスクレジスタはリモコンから送信された信号に基づいて切り替えられることを特徴とする請求項１記載の表示装置。
【請求項３】
前記マスクレジスタの切替は、マルチプレクサによって行われることを特徴とする請求項１又は２記載の表示装置。
【請求項４】
前記マスクレジスタの切替は、前記リモコンによってのみ行えることを特徴とする請求項１から３のいずれか１項記載の表示装置。
【請求項５】
前記複数の端子は五つあることを特徴とする請求項１から４のいずれか１項記載の表示装置。
【請求項６】
前記複数の端子は、各々ｎｅｔｗｏｒｋ、Ｇａｍｅ機器、Ａｕｘ端子、ＣＡＴＶ入力及びアンテナ入力であることを特徴とする請求項１から５のいずれか１項記載の表示装置。
【発明の詳細な説明】
【技術分野】
【０００１】
本発明は、表示装置に関し、特に、複数の入力端子を持つ表示装置の入力制御に関する。
【背景技術】
【０００２】
特許文献１には、函状のケース本体と、ケース本体に内装するセレクタ基板と、セレクタ基板に電気的に接続された複数のイン側端子部と、セレクタ基板に電気的に接続された複数のアウト側端子部と、セレクタ基板に電気的に接続され情報を切り替える複数の切り替えスイッチユニットとを備えたセレクタ手段を配設すると共に、ケース本体に複数のコンセントと、複数のコンセントと電気的に接続させたコードを延設した差し込みプラグとを備えたタップ手段を配設したセレクタタップが開示されている。
【０００３】
特許文献２には、それぞれがリモコン操作により作動する複数の機器それぞれの出力信号を入力し、該入力した複数の信号から希望の信号を選択して他の機器へ出力せしめるＡＶセレクタにおいて、受光したリモコン信号を記憶する手段と、該記憶後に同一のリモコン信号を受光したときには該記憶したリモコン信号を再生する手段と、該再生したリモコン信号を出力する上記機器ごとの出力端子とを具備したＡＶセレクタが開示されている。
【０００４】
特許文献３には、入力ソースに基づく映像を画面上に表示可能な映像表示手段と、この映像表示手段にて上記入力ソースに基づく映像とは別個の所定のグラフィックパターンを上記画面上に表示するオンスクリーン表示手段と、上記入力ソースに基づいてこのオンスクリーン表示手段の表示を制御するオンスクリーン表示制御手段とを具備する映像表示装置が開示されている。
【０００５】
特許文献４には、被リモートコンロール機器の入力セレクタのポジション及びリモコンの操作モードを切り換える第１の切換手段と、リモコンの操作モードのみを切り換える第２の切換手段とを備えたリモコンにおいて、前記第１の切換手段の動作後に前記第２の切換手段が動作した場合、前記第２の切換手段の動作から所定時間経過後、リモコンの操作モードを前記第１の切換手段により切り換えられた操作モードに復帰させる復帰手段を備えたリモコンが開示されている。
【特許文献１】特開２０００−１７３７１９号公報
【特許文献２】特開平０５−０８３６４６号公報
【特許文献３】特開平１０−１９８３２４号公報
【特許文献４】特開平１１−１４９６８２号公報
【発明の開示】
【発明が解決しようとする課題】
【０００６】
従来、表示装置においては、入力ソースの選択を不特定多数の人間が実施することを可能としている。
【０００７】
したがって、表示装置の所有者、表示装置の管理者が描写したい入力ソースがあっても異なる入力ソースを表示部に描写してしまう。
【０００８】
そこで、本発明は、入力ソース変更をマスクするようにすることで、入力ソース変更を許可された手段のみが入力ソースの変更を行うことができるようにすることを目的とする。
【０００９】
また、入力ソース変更を否許可された手段では入力ソース変更実施不可とすることを目的とする。
【課題を解決するための手段】
【００１０】
本発明は、上記課題を解決するための手段として、表示部とコントローラとを備え、該コントローラは複数の入力端子を備えている表示装置において、前記複数の入力端子から送信された情報のうちいずれかを選択し、前記表示部に送信する入力ソースマスクを備えることを特徴とする。
【００１１】
また、本発明は、前記入力ソースマスクは、複数のマスクレジスタを備えており、前記マスクレジスタはリモコンから送信された信号に基づいて切り替えられることを特徴とする。
【発明の効果】
【００１２】
本発明によれば、表示装置ユーザ、表示装置管理者が入力ソースの選択権利を持てるので、表示装置ユーザ、表示装置管理者が意図した入力ソースを表示部に描写できる。
【００１３】
また、本発明によれば、入力ソースの選択権利を限定することにより部外者、いたずら、不特定多数ユーザからの混乱招く使用方法を防ぐことが可能になる。
【発明を実施するための最良の形態】
【００１４】
以下、添付図面を参照して本発明を実施するための最良の実施の形態を説明する。
【００１５】
［構成の説明］
図１は、本発明の一実施の形態の構成を示すブロック図である。
【００１６】
表示装置１は、主に表示部２とコントローラ３によって構成されている。
【００１７】
コントローラ３に対して表示装置１外部からの入力ソースとしてｎｅｔｗｏｒｋ、Ｇａｍｅ機器、Ａｕｘ端子、ＣＡＴＶ入力、アンテナ入力が表示部２で描写できるソースとして入力される。
【００１８】
コントローラ３内部では、表示部２描写するための入力ソースを、リモコン５からリモコン受信部４を経由した設定、もしくは表示装置１に内蔵している入力切替スイッチ６により選択決定することができる。
【００１９】
リモコン５からリモコン受信部４を経由した設定、もしくは表示装置１に内蔵している入力切替スイッチ６により表示部２に描写されると選択決定された入力ソースのみが表示部２に描写されることができる。
【００２０】
図２は、本発明の一実施の形態のコントローラ内部の構成を示すブロック図である。
【００２１】
入力ソースとしては、先に述べた外部からの入力ソースｎｅｔｗｏｒｋ、Ｇａｍｅ機器、Ａｕｘ端子、ＣＡＴＶ入力、アンテナ入力に加え、コントローラ３内蔵のＨＤＤ９、コントローラ３内蔵のＤＶＤドライブ１０もある。
【００２２】
これらの複数入力ソース元から表示部２に何を描写するかは、入力ソース入力ソースマスク７でリモコン５からリモコン受信部４を経由した設定、もしくは表示装置１に内蔵している入力切替スイッチ６によって決定され、マルチプレクサ８へ送信する。
【００２３】
マルチプレクサ８では入力ソースマスク７からの信号を基に複数ある入力ソースから表示部２へ描写するソースを決定する。
【００２４】
図３は、本発明の一実施の形態のマスクレジスタの構成を示すブロック図である。
【００２５】
リモコン５から受信部４を経由してきた信号が演算部１２へ入力され、表示装置１に内蔵している入力切替スイッチ６からの信号が演算部１４に入力されることを前提で説明する。
【００２６】
ユーザによってマスクレジスタ１１、マスクレジスタ１３値が設定され、入力ソースの切替の許可／不許可が決まる。
【００２７】
マスクレジスタ１１が許可、マスクレジスタ１３が不許可と設定された場合、マスクレジスタ１３からの信号によって演算部１４へ入力された、表示装置１に内蔵している入力切替スイッチ６からの信号はマスクされ、ユーザ、部外者、部外者が表示装置１に内蔵している入力切替スイッチ６を押しても、表示部２に描画される入力ソースは変更されない。
【００２８】
［動作の説明］
図１を用いて本実施の形態のおおまかな動作について説明する。
【００２９】
コントローラ３に対して表示装置１外部からの入力ソースとして、ｎｅｔｗｏｒｋ、Ｇａｍｅ機器、Ａｕｘ端子、ＣＡＴＶ入力、アンテナ入力が表示部２で描写できるソースとして入力される。
【００３０】
コントローラ３では入力ソースの中から表示部２描写するための入力ソースを選択し表示部２へ入力ソースデータを送信する。
【００３１】
図２で複数ある入力ソースから表示部２で描写するソースの選択について説明する。
【００３２】
入力ソースとしては、図１の外部からの入力ソースｎｅｔｗｏｒｋ、Ｇａｍｅ、Ａｕｘ、ＣＡＴＶ入力、アンテナ入力に加え、コントローラ３内蔵のＨＤＤ９、コントローラ３内蔵のＤＶＤドライブ１０もあるマルチプレクサ８は、複数ある入力ソースからどれを表示部２に描写するかを制御する信号が入力ソースマスク７から送信されるので、制御信号を基に複数ある入力ソースから表示部２に描写する入力ソースを選択する。
【００３３】
図３を用いて、本発明の具体的な動作について説明する。
【００３４】
現在、表示部２ではｎｅｔｗｏｒｋから配信されたアプリケーションを描写している。
【００３５】
リモコン５から受信部４を経由してきた信号が演算部１２へ入力され、表示装置１に内蔵している入力切替スイッチ６からの信号が演算部１４に入力されることを前提で説明する。
【００３６】
表示装置１ユーザもしくは表示装置１管理者がマスクレジスタ１１をソース切替許可（非マスク）、マスクレジスタ１３をソース切替否許可(マスク)と設定した場合に、表示装置１付近にいる部外者が表示装置１に内蔵している入力切替スイッチ６を操作してもマスクレジスタ１３がソース切替否許可(マスク)となっているため、演算部では表示装置１に内蔵している入力切替スイッチ６は無効となり、既に表示部２で描写しているｎｅｔｗｏｒｋからのアプリケーションを描写し続ける。
【００３７】
逆に、リモコン５から受信部４を経由してきた信号が表示部２で描写する入力ソースをｎｅｔｗｏｒｋから内蔵ＤＶＤに切り替える信号を受信すると、マスクレジスタ１１はソース切替許可（非マスク）のため、演算部１２で演算された後、入力ソース切替信号をマルチプレクサ８に送信し、マルチプレクサ８は表示部２へ送信している入力ソースをｎｅｔｗｏｒｋから内蔵ＤＶＤへ変更できる。
【００３８】
つまり、リモコンを所持している物のみが入力ソースの選択権を有し、部外者からの入力ソース変更をマスクすることができる。
【産業上の利用可能性】
【００３９】
本発明は、入力制御を行える表示装置に利用することができる。
【図面の簡単な説明】
【００４０】
【図１】本発明の一実施の形態の構成を示すブロック図である。
【図２】本発明の一実施の形態のコントローラ内部の構成を示すブロック図である。
【図３】本発明の一実施の形態のマスクレジスタの構成を示すブロック図である。
【符号の説明】
【００４１】
１  表示装置
２  表示部
３  コントローラ
４  リモコン受信部
５  リモコン
６  入力切替スイッチ
７  入力ソースマスク
８  マルチプレクサ
９  ＨＤＤ
１０  ＤＶＤドライブ
１１  マスクレジスタ
１２  演算部
１３  マスクレジスタ
１４  演算部
【図１】
2006246347.tif 000003
【図２】
2006246347.tif 000004
【図３】
2006246347.tif 000005